(57)【要約】【課題】  トイレルームなどの消臭空間全体に消臭及び芳香効果を即効性且つ経済性をもたせて作用させると共に、消臭空間に収まり良く配置可能にするべく構成を簡略化して小型化を図った消臭装置を提供する。【解決手段】  ケース２内に、先端部に水が供給される霧化用電極６と対向電極７との間に高電圧印加部８にて高電圧を印加して静電霧化することでナノメータサイズのミストを生成させる静電霧化手段３と、芳香剤と芳香剤を加熱するための加熱部９とよりなる芳香剤蒸散手段４と、上記生成されたミストや蒸散された芳香をケース２外へ放散可能にする送風手段５と、をそれぞれ内装する。【選択図】        図１
2006296962.tif 000002
【特許請求の範囲】
【請求項１】
ケース内に、先端部に水が供給される霧化用電極と対向電極との間に高電圧印加部にて高電圧を印加して静電霧化することでナノメータサイズのミストを生成させる静電霧化手段と、芳香剤と芳香剤を加熱するための加熱部とよりなる芳香剤蒸散手段と、上記生成されたミスト及び蒸散された芳香をケース外へ放散可能にする送風手段と、をそれぞれ内装したことを特徴とする消臭装置。
【請求項２】
ケース内にペルチェ素子を内装し、静電霧化手段を、ペルチェ素子の冷却部で発生させた結露水を霧化用電極の先端部に供給して静電霧化させてミストを生成させるように構成し、ペルチェ素子の放熱部を芳香剤蒸散手段の加熱部として構成したことを特徴とする請求項１記載の消臭装置。
【請求項３】
ケースに人体検知センサーを設け、消臭装置の作動制御を行う制御部に、人体検知センサーの人体検知時においてペルチェ素子及び送風手段を作動させ且つ静電霧化手段の高電圧印加部を作動させない芳香放散モードを設けると共に、人体検知センサーの人体非検知時においてペルチェ素子、送風手段及び静電霧化手段の高電圧印加部を作動させるミスト放散モードを設けたことを特徴とする請求項２記載の消臭装置。
【請求項４】
芳香剤蒸散手段の加熱部を、静電霧化手段と無関係に通電可能なヒータで構成したことを特徴とする請求項１記載の消臭装置。
【発明の詳細な説明】
【技術分野】
【０００１】
本発明は、たとえばトイレルーム等の消臭空間に配設される消臭装置に関するものである。
【背景技術】
【０００２】
一般にトイレルームには市販の活性炭等の消臭剤や芳香剤を配置することが行われている。つまり、消臭剤でトイレルームの消臭を行うと共に、芳香剤でトイレルームに芳香を放散させて使用者にトイレルームの良好な使用感を付与できるようにしている。
【０００３】
しかしながら、消臭剤はトイレルームの空気中の臭気成分を吸着させて消臭するものであってトイレルームの壁面や便器等に付着している臭気成分の消臭はできるものではない。また、消臭剤の消臭範囲や芳香剤の芳香の放散範囲はトイレルームの空気流れに依存することから即効性を有するものではない。更に言うと、このような消臭剤や芳香剤はトイレルームに配置した後には常に消臭効果や芳香効果を作用させ続けるのであるから、トイレルーム使用後（用便後）の増大した臭気成分を強力に消臭するなどのメリハリをつけた消臭効果等の作用は不可能であると共に、トイレルームの不使用時にも消臭効果等を作用させ続けることから無駄が多くて不経済であるといった問題がある。
【０００４】
ところで、近年の研究によると、静電霧化装置で水に電圧を印加して生成されるナノサイズのミストは活性種を内在し、このミストが臭気成分に付着すると臭気成分を不活性化させて消臭できることが明らかになっている。しかして、この原理を応用して、たとえば特許文献１のように空気清浄機に静電霧化装置を付設することも行われている。特許文献１の空気清浄機は吸気口から排気口に至る空気路に静電霧化装置を付設して空気清浄機の空気路に流れる空気に含まれる臭気成分の消臭を図ったものであるが、たとえば静電霧化で生成するミストを送風手段にてトイレルームに放出すればトイレルーム全体の消臭を行う消臭装置を得ることができる。
【０００５】
このような消臭装置をトイレルームに配置して適宜のタイミングで静電霧化を行わせることで、トイレルーム全体の消臭を即効性且つ経済性をもたせて行うようにできるのであるが、トイレルームに芳香を放散させるには別個に芳香剤を置かねばならず、トイレルームが消臭装置や芳香剤といった配置物で雑然としてしまうといった問題があると共に、芳香剤の放散は依然として即効性且つ経済性を有さずに行われるのであった。
【特許文献１】特開２００１−９６１８９号公報
【発明の開示】
【発明が解決しようとする課題】
【０００６】
本発明は上記の従来の問題点に鑑みて為したものであって、トイレルームなどの消臭空間全体に消臭及び芳香効果を即効性且つ経済性をもたせて作用させると共に、消臭空間に収まり良く配置可能にするべく構成を簡略化して小型化を図った消臭装置を提供することを課題とするものである。
【課題を解決するための手段】
【０００７】
上記課題を解決するために本発明の請求項１に係る消臭装置は、ケース２内に、先端部に水が供給される霧化用電極６と対向電極７との間に高電圧印加部８にて高電圧を印加して静電霧化することでナノメータサイズのミストを生成させる静電霧化手段３と、芳香剤と芳香剤を加熱するための加熱部９とよりなる芳香剤蒸散手段４と、上記生成されたミストや蒸散された芳香をケース２外へ放散可能にする送風手段５と、をそれぞれ内装したことを特徴とする。これによると、適宜のタイミングで静電霧化手段３や芳香剤蒸散手段４を送風手段５と共に作動させることで、消臭装置１を配置したトイレルーム１５などの消臭空間全体に消臭及び芳香効果を即効性且つ経済性をもたせて作用させることができ、また、静電霧化手段３で生成させたミストや芳香剤蒸散手段４で蒸散させた芳香を消臭空間に放散させるには同じ送風手段５で行うことができるから装置構成の簡略化が図られて消臭装置１の小型化を図ることができ、消臭装置１を消臭空間に収まり良く配置可能にできる。
【０００８】
また、請求項２に係る消臭装置は、請求項１において、ケース２内にペルチェ素子１０を内装し、静電霧化手段３を、ペルチェ素子１０の冷却部１１で発生させた結露水を霧化用電極６の先端部に供給して静電霧化させてミストを生成させるように構成し、ペルチェ素子１０の放熱部１２を芳香剤蒸散手段４の加熱部９として構成したことを特徴とする。これによると、静電霧化させる水を結露水で自動的に賄うことができて消臭装置１に使用者が手動で水を供給する手間を省いて消臭装置１の利便性が高まると共に、結露水を発生させるためのペルチェ素子１０の放熱部１２を芳香剤蒸散手段４の加熱部９としたことで装置構成の簡略化が図られて消臭装置１の小型化を図ることができる。
【０００９】
また、請求項３に係る消臭装置は、請求項２において、ケース２に人体検出センサ１３を設け、消臭装置１の作動制御を行う制御部に、人体検出センサ１３の人体検知時においてペルチェ素子１０及び送風手段５を作動させ且つ静電霧化手段３の高電圧印加部８を作動させない芳香放散モードＭ２を設けると共に、人体検出センサ１３の人体非検知時においてペルチェ素子１０、送風手段５及び静電霧化手段３の高電圧印加部８を作動させるミスト放散モードＭ３を設けたことを特徴とする。これによると、消臭装置１を配置したトイレルーム１５に使用者が居ることを人体検出センサ１３で検知したときには、制御部の芳香放散モードＭ２によって、静電霧化手段３でのミストの生成を行わず、つまりミストで芳香を消臭してしまう事態を回避することができ、しかして芳香をトイレルーム１５に効率良く放散させることができて芳香による使用者のトイレルーム１５の使用感を高めることができる。また、トイレルーム１５使用後（用便後）の使用者がトイレルーム１５から出たなどしてトイレルーム１５に使用者が居ないときには、制御部のミスト放散モードＭ３によって、トイレルーム１５使用後（用便後）に増大する臭気成分に対してミストによる消臭効果を有効に作用させるようにできる。すなわち、この制御部によると、トイレルーム１５の使用形態に合わせて消臭及び芳香効果を即効性且つ経済性をもたせて作用させることができ、トイレルーム１５に用いるに適した消臭装置１にできる。
【００１０】
また、請求項４に係る消臭装置は、請求項１において、芳香剤蒸散手段４の加熱部９を、静電霧化手段３と無関係に通電可能なヒータ１４で構成したことを特徴とする。これによると、芳香の放散とミストの放散とを無関係に行わせることができ、消臭装置１の作動形態の多様化を図ることができると共に、芳香剤の加熱に適した出力のヒータ１４を用いると芳香の蒸散効率を高めて消臭空間への芳香効果の即効性を向上できる。
【発明の効果】
【００１１】
本発明は、消臭装置を配置せるトイレルームなどの消臭空間全体に、消臭及び芳香効果を即効性且つ経済性をもたせて作用させると共に、消臭装置の装置構成を簡略化して小型化を図り消臭空間に消臭装置を収まり良く配置可能にするといった利点を有する。
【発明を実施するための最良の形態】
【００１２】
以下、本発明を添付図面に示す実施形態に基いて説明する。
【００１３】
図１乃至図６には本発明の実施の形態の例を示す。消臭装置１は、図１乃至図３のように、装置外殻となるケース２に、ナノメータサイズのミストを生成させる静電霧化手段３と、芳香剤を蒸散させる芳香剤蒸散手段４と、上記生成されたミスト及び蒸散された芳香剤をケース２外へ放散可能にする送風手段５とを内装して構成されており、たとえば図４のように消臭装置１を配置したトイレルーム１５等の消臭空間に対して、生成させたミストによる消臭効果と蒸散させた芳香による芳香効果とをそれぞれ付与できるようにした装置である。
【００１４】
詳しくは、消臭装置１は、ケース２の正面には図３のように人体検出センサ１３が配置されると共に吸気口１６及び排気口１７が開口されており、図１のようにケース２の内部に吸気口１６から排気口１７に至る送風通路１８が設けられている。この送風通路１８の吸気口１６近傍の部位には空気清浄フィルタ２０、送風手段５を構成する送風ファン１９が配置されており、送風通路１８の排気口１７近傍の部位には芳香剤蒸散手段４及び静電霧化手段３が配置されている。また、図示はしないが送風通路１８以外のケース２の内部には各手段を作動させる給電部や人体検出センサ１３に接続された制御部が配置されている。ここで、空気清浄フィルタ２０は、吸気口１６に亙って被着した微細網目から成るゴミ取りフィルタ２１と、活性炭や酸化触媒から成る臭気取りフィルタ２２とで構成されている。ゴミ取りフィルタ２１によると空気中に浮遊するホコリや微粒子等のゴミを送風通路１８内に入らせないように除去でき、臭気取りフィルタ２２によると空気中に浮遊する臭気成分を吸着したり分解したりして除去できるようにされている。すなわち、空気清浄フィルタ２０は、送風ファン１９にて送風通路１８に取込まれた空気の清浄を行い、後述する静電霧化手段３の静電霧化するための結露水に不快臭を溶存させないように図られているのである。
【００１５】
静電霧化手段３は、図１及び図２のように、先端部に水が供給される霧化用電極６と、この霧化用電極６の先端部に対向配置された対向電極７と、霧化用電極６と対向電極７との間に高電圧を印加させる高電圧印加部８とで構成されており、霧化用電極６の先端部に存在する水にレイリー分裂を起こさせて静電霧化することでナノメータサイズのミストが生成されるようにされている。生成されたミストは粒子径がナノメータサイズであって元々良好な拡散性を有するが、送風ファン１９で生じさせた風に乗せて排気口１７から消臭空間に放散することで、拡散性が更に良好になって消臭空間の隅々にまで即座に行き渡るようになる。ここで、静電霧化には水が必要であるが、この水は本例ではケース２内に内装されたペルチェ素子１０の冷却部１１で発生させた結露水を用いるようにされており、このように静電霧化させる水を空気中に含有する水分から結露水というかたちで自動的に賄えるようにしたことで、使用者が消臭装置１に手動で水を供給するという手間を省くことができ、消臭装置１の利便性が高められている。なお、ペルチェ素子１０は通電させると素子間で熱移動が生じて一端に吸熱する冷却部１１が現出され他端に発熱する放熱部１２が現出されるものである。本例では、ペルチェ素子１０の冷却部１１には結露水を貯留可能にする皿形状の結露水受け部２３が形成されており、この結露水受け部２３の底部から突出するようにセラミック製の霧化用電極６が立設されており、冷却部１１で発生した結露水を霧化用電極６の内部の毛細管現象等で霧化用電極６の先端部に搬送し、その途中で高電圧印加部８によって高電圧が印加され、霧化用電極６の先端部に達した水と対向電極７との間で放電を行わせることで、上記霧化用電極６の先端部に達する水に順次レイリー分裂を起こさせて静電霧化が順次行われるようにされている。無論、金属製の霧化用電極６を用いてペルチェ素子１０の冷却部１１と共に霧化用電極６自体に結露水を発生させるようにしても好ましく、また、霧化用電極６の内部に結露水を霧化用電極６の先端まで導く管路状の通水通路を設けても好ましい。一方、ペルチェ素子１０の放熱部１２には送風通路１８に臨んで配置された放熱フィン２４が設けられており、ペルチェ素子１０の放熱部１２からの放熱効率の向上、ひいてはペルチェ素子１０の作動効率の向上が図られている。詳しくは、本例の放熱フィン２４は、送風通路１８における送風ファン１９に比較的近い下流部分に配置され、送風ファン１９で生じた空気流にロス無く当たるようにされて放熱効率の向上が図られている。なお、このペルチェ素子１０の放熱部１２には後述する芳香剤蒸散手段４の加熱部９を構成する伝熱部材２５も設けられている。
【００１６】
芳香剤蒸散手段４は、図２のように、芳香剤を収めた芳香剤収容部２６と、芳香剤収容部２６に収容した芳香剤を加熱させる加熱部９とで構成されている。ここで、芳香剤には固体状または液体状のアロマオイルなどを用いることができる。また、本例の加熱部９は上述のように伝熱部材２５、つまりペルチェ素子１０の放熱部１２によって構成されており、この伝熱部材２５に芳香剤収容部２６が付設されている。ペルチェ素子１０を通電させると放熱部１２で発熱現象が生じるのであり、このとき送風手段５を作動させずまたは低出力で作動させてペルチェ素子１０の放熱部１２に設けた放熱フィン２４から送風通路１８の空気に充分に放熱されない状態にすると、ペルチェ素子１０の放熱部１２に溜まった熱は伝熱部材２５を伝って芳香剤収容部２６に収容された芳香剤を加熱して蒸散させるようにされている。なお、本例では図示はしないが芳香剤収容部２６に温度センサが設置され、温度センサの検知温度を基に制御部を介したペルチェ素子１０への通電制御や放熱フィン２４からの放熱を行う送風手段５の駆動制御が行われるようにされており、芳香剤蒸散に適した加熱部９の温度コントロールを可能としている（たとえば、５０〜７０℃）。蒸散された芳香は元々拡散性を有しているが、送風手段５で生じさせた風に乗せて排気口１７から消臭空間に放散することで、拡散性が更に良好になって消臭空間の広い範囲に即座に行き渡るようになる。
【００１７】
上記構成の消臭装置１は、配置させたトイレルーム１５等の消臭空間に対して、静電霧化手段３によって生成させたミスト及び芳香剤蒸散手段４で蒸散させた芳香とを、同一の送風手段５によって放散可能にしたものである。したがって、従来の消臭剤や芳香剤のように配置後常に消臭及び芳香効果を作用させるものではなく、適宜のタイミングで静電霧化手段３や芳香剤蒸散手段４を送風手段５と共に作動させて送風手段５による風に乗せてミストや芳香を消臭空間全体にすばやく行き渡らせることができるものであり、消臭及び芳香効果を即効性且つ経済性をもたせて消臭空間全体に作用させることができるものである。ここで、静電霧化手段３で生成されたナノメータサイズのミストは、消臭空間の壁や消臭空間に内在する物体（たとえば消臭空間がトイレルーム１５であれば便器２７等）の表面からの浸透性も有するため、消臭空間の空気に含まれる臭気成分はもとより、消臭空間の壁面２８や消臭空間に内在する物体（たとえば便器２７）に付いた臭気成分に対しても、良好に消臭効果を作用させることができるのである。また、このミストによると、消臭空間の壁面２８や消臭空間に内在する物体（たとえば便器２７）に対するカビの発生も防止することができる。また、上記構成の消臭装置１では上述のようにミストや芳香が消臭空間に同一の送風手段５で放散可能にされたことから、兼用された送風手段５によって装置構成の簡略化がなされており、つまり消臭装置１の小型化が図られているので、消臭装置１の消臭空間への配置の容易化が図られているのである。更に言うと、静電霧化手段３で結露水を発生させるために用いたペルチェ素子１０の放熱部１２を芳香剤蒸散手段４の加熱部９として用いたことによっても、芳香剤蒸散手段４及び静電霧化手段３の構成物を同一のペルチェ素子１０で兼用できて装置構成の簡略化が図られており、消臭装置１の小型化が図られているのである。たとえば図４では消臭空間であるトイレルーム１５の壁面２８に縦長の手洗いキャビネット２９が埋設されているが、小型化の図られた消臭装置１は上記手洗いキャビネット２９に付設可能であり、消臭装置１のトイレルーム１５への配置を収まり良く行うことが可能にされている。
【００１８】
ところで、本例の消臭装置１の制御部にあっては、図５に示すような消臭装置１の作動制御ができるようにされ、これによってトイレルーム１５での使用に適した消臭装置１にしている。ここで、ケース２の正面に設けた人体検出センサ１３によると、消臭空間であるトイレルーム１５内の使用者の有無を検知できるようにされている。また、制御部には、ペルチェ素子１０を作動させ且つ送風手段５及び静電霧化手段３の高電圧印加部８を作動させない芳香蒸散モードＭ１、ペルチェ素子１０及び送風手段５を作動させ且つ静電霧化手段３の高電圧印加部８を作動させない芳香放散モードＭ２、ペルチェ素子１０及び送風手段５及び静電霧化手段３の高電圧印加部８を作動させるミスト放散モードＭ３が設定されている。
【００１９】
まず、使用者のトイレルーム１５への入室を人体検出センサ１３で検知すると、制御部は芳香蒸散モードＭ１になってペルチェ素子１０に通電させる。なお、このときには送風手段５や静電霧化手段３の高電圧印加部８は未作動の状態にある。この状態では図６（ａ）のように、通電されたペルチェ素子１０は冷却部１１で吸熱して放熱部１２で発熱するが、送風手段５が作動していない状態であるために放熱フィン２４からの放熱がほとんど行われず、ペルチェ素子１０の放熱部１２での温度上昇が進んで伝達部材が芳香剤蒸散手段４の加熱部９として有効に機能する。すなわち、芳香剤蒸散手段４の芳香剤収容部２６に収めた芳香剤は効率良く加熱されるのであり、使用者の入室後すぐに芳香を蒸散させることができる。また、このときペルチェ素子１０の冷却部１１で結露水が発生しても高電圧印加部８の通電がされていないから静電霧化手段３でのミストの生成は行われず、つまりミストで芳香を消臭してしまう事態が回避されている。
【００２０】
次に、芳香剤収容部２６に設置された温度センサによって芳香剤が蒸散する所定温度を検知すると、制御部は芳香放散モードＭ２に切り替わり、送風手段５を低風量が生じるように作動させる。ここでいう低風量とは、放熱フィン２４から送風通路１８の空気に充分な放熱が行われない程の風量をいう。本例では送風ファン１９の間欠運転によって結果的に低風量を得るようにしているが、一定の低風量を生じるように低出力運転をしてもよい。この状態では図６（ｂ）のように、送風ファン１９にて生じた低風量の送風通路１８の空気流によって、蒸散した芳香が排気口１７からトイレルーム１５へ放散されるのであり、トイレルーム１５の使用中の使用者に対してトイレルーム１５の使用感を高めることができるようになっている。なお、このときにはペルチェ素子１０は通電状態を維持し、静電霧化手段３の高電圧印加部８は未作動の状態にある。したがって、ペルチェ素子１０の冷却部１１では結露水が発生しても静電霧化手段３でのミストの生成は行われず、つまりミストで芳香を消臭してしまう事態が回避されており、しかして芳香をトイレルーム１５に効率良く放散させることが可能にされている。
【００２１】
次に、トイレルーム１５使用後（用便後）の使用者がトイレルーム１５から退出したことを人体検出センサ１３で検知すると、制御部はミスト放散モードＭ３に切り替わり、送風手段５を通常風量で作動させると共に、静電霧化手段３の高電圧印加部８を作動させる。なお、このときにはペルチェ素子１０は通電状態に維持される。この状態では図６（ｃ）のように、ペルチェ素子１０の放熱部１２では、送風ファン１９で生じさせた通風通路の空気流によって放熱フィン２４が空冷されるのであり、つまり芳香剤蒸散手段４の加熱部９となる伝熱部材２５で芳香剤を加熱する以前に放熱フィン２４からの放熱が効率良く行われ、ペルチェ素子１０の冷却部１１での結露水の発生が促進されて静電霧化手段３でのミストの生成が安定して行われ、送風ファン１９で生じさせた空気流に乗せてミストがトイレルーム１５の隅々にまで即座に放散されるのであり、トイレルーム１５使用後（用便後）に増大する臭気成分に対してミストによる消臭効果を有効に作用させるようになっている。なお、本例では図示はしないが結露水受け部２３に結露水貯留量を検知する結露水貯留センサが設けられており、結露水貯留センサで結露水貯留量が所定量以上になったことを検知した場合にはペルチェ素子１０の通電を止めて省電力化が図られており、また結露水貯留センサで結露水貯留量が所定量以下になったことを検知した場合には適宜ペルチェ素子１０の通電を行って静電霧化手段３でのミストの安定生成を確保するようにしている。また、このミスト放散モードＭ３による消臭装置１の作動は使用者がトイレルーム１５から退出後の一定時間行われるようにされており、その後の消臭装置１は作動停止状態にされる。
【００２２】
上述した制御部の作動制御によると、消臭装置１は、ミストによる消臭効果と芳香効果とが相殺される状態を防止して、トイレルーム１５使用中の使用者には芳香効果を施して良好な使用感を付与すると共にトイレルーム１５使用後に増大する臭気成分に対しては消臭効果を施すことができ、つまり、トイレルーム１５の使用形態に合わせた適宜のタイミングで消臭効果や芳香効果をトイレルーム１５に対して即効性且つ経済性をもたせて作用させることができたものであり、トイレルーム１５への使用に適した消臭装置１にできたものである。
【００２３】
図７には本発明の実施の形態の他例を示す。本例は先例と比べて芳香剤蒸散手段４の加熱部９を変更した例であるから、先例同様のその余の構成においては同符号を付して説明を省き、上記変更部分についてのみ説明する。つまり、先例の芳香剤蒸散手段４の加熱部９は、静電霧化手段３での結露水の発生に用いるペルチェ素子１０の放熱部１２での発熱を利用するものであったが、本例の芳香剤蒸散手段４の加熱部９は、静電霧化手段３と無関係に通電可能なヒータ１４で構成されている。なお詳しくは、本例の芳香剤蒸散手段４は送風通路１８に臨んで隣接するようにケース２内に形成された収納室３０に収容配置されており、芳香剤蒸散手段４と静電霧化手段３との電源を異ならせている。これによると、芳香の放散をミストの放散と同時に行わせたり、芳香の放散のみを行わせたり等、芳香剤蒸散手段４の作動を静電霧化手段３の作動と無関係に行わせることができ、消臭装置１の作動形態の多様化を図ることができる。また、芳香剤の蒸散性能がペルチェ素子１０の性能の制約を受けないことから、たとえば加熱部９のヒータ１４を高出力にして芳香の蒸散効率を高めて消臭空間への芳香効果の増大や即効性を向上したり等、目的に応じた消臭装置１の装置設計の幅を広げることができるのである。
【図面の簡単な説明】
【００２４】
【図１】本発明の実施の形態の例の消臭装置の概略断面図である。
【図２】同上の要部の拡大図である。
【図３】同上の消臭装置の前方から見た斜視図である。
【図４】同上の消臭装置を配置したトイレルームの斜視図である。
【図５】同上の消臭装置の作動を説明するタイムチャートである。
【図６】（ａ）（ｂ）（ｃ）は同上の消臭装置の作動状態を説明する概略断面図である。
【図７】本発明の実施の形態の他例の消臭装置の概略断面図である。
【符号の説明】
【００２５】
１  消臭装置
２  ケース
３  静電霧化手段
４  芳香剤蒸散手段
５  送風手段
６  霧化用電極
７  対向電極
８  高電圧印加部
９  加熱部
１０  ペルチェ素子
１１  冷却部
１２  放熱部
１３  人体検知センサ
１４  ヒータ
【図１】
2006296962.tif 000003
【図２】
2006296962.tif 000004
【図３】
2006296962.tif 000005
【図４】
2006296962.tif 000006
【図５】
2006296962.tif 000007
【図６】
2006296962.tif 000008
【図７】
2006296962.tif 000009